(57)【要約】【課題】ロール紙に記録中ジャムが発生した場合においても、プリントロスを少なくするとともに生産性との両立を図ることのできるインクジェット記録装置を提供する。【解決手段】搬送経路を搬送されるロール状の記録媒体に対して画像を記録する画像形成手段と、前記搬送経路におけるジャムの発生を検出するジャム検出手段と、画像が記録された前記ロール状の記録媒体を排出するためにシート状にカットする前記搬送経路の最下流側に配置された第１のカッターと、前記搬送経路の前記画像形成手段の下流直後に配置された第２のカッターと、を備え、前記ジャム検出手段がジャムの発生を検出した場合に、ジャム発生時に記録中の画像については画像記録を続行し、該画像記録が終了したら前記第２のカッターにより該画像の後端をカットすることを特徴とする画像形成装置を提供する。【選択図】図１
2011005831.tif 000002
【特許請求の範囲】
【請求項１】
搬送経路を搬送されるロール状の記録媒体に対して画像を記録する画像形成手段と、
前記搬送経路におけるジャムの発生を検出するジャム検出手段と、
画像が記録された前記ロール状の記録媒体を排出するためにシート状にカットする前記搬送経路の最下流側に配置された第１のカッターと、
前記搬送経路の前記画像形成手段の下流直後に配置された第２のカッターと、
を備え、前記ジャム検出手段がジャムの発生を検出した場合に、ジャム発生時に記録中の画像については画像記録を続行し、該画像記録が終了したら前記第２のカッターにより該画像の後端をカットすることを特徴とする画像形成装置。
【請求項２】
請求項１に記載の画像形成装置であって、さらに、メッセージを表示する表示手段を備え、前記第２のカッターにより前記画像の後端をカットした後、画像記録動作を停止し、ジャムが発生した旨のメッセージを前記表示手段に表示することを特徴とする画像形成装置。
【請求項３】
請求項１または２に記載の画像形成装置であって、さらに、前記第１のカッターと前記第２のカッターとの間の前記搬送経路上に前記ロール状の記録媒体を保持するバッファを備えたことを特徴とする画像形成装置。
【請求項４】
前記バッファは、前記ロール状の記録媒体を少なくとも１画像分保持することを特徴とする請求項３に記載の画像形成装置。
【請求項５】
請求項１〜４のいずれかに記載の画像形成装置であって、さらに、前記第２のカッターに替えて前記画像形成手段により画像が形成された前記ロール状の記録媒体の該画像の後端をカットしてシート状の記録媒体にする後端カッターを備えると共に、該シート状にされた記録媒体の表裏を反転させて再度前記画像形成手段に送給する反転搬送経路とを備え、ジャムが発生した場合には、前記後端カッターが前記第２のカッターを兼用することを特徴とする画像形成装置。
【請求項６】
前記画像形成手段は、前記ロール状の記録媒体にインク滴を吐出して画像を形成するインクジェット方式であることを特徴とする請求項１〜５のいずれかに記載の画像形成装置。
【請求項７】
搬送経路を搬送されるロール状の記録媒体に対して画像を記録する画像形成装置において、ジャムの発生が検出された場合には、ジャム発生時に記録中の画像については、その画像記録を継続するとともに、該画像記録が終了したら、その画像の後端をカットすることを特徴とするジャム処理方法。
【請求項８】
前記画像の後端をカットした後で、ジャムが発生した旨のメッセージを表示することを特徴とする請求項７に記載のジャム処理方法。
【請求項９】
前記搬送経路の前記記録媒体に対する画像記録位置よりも下流側に前記記録媒体を保持するバッファを備えたことを特徴とする請求項７または８に記載のジャム処理方法。
【請求項１０】
前記記録媒体に対する画像記録は、インク滴を吐出して画像を形成するインクジェット方式であることを特徴とする請求項７〜９のいずれかに記載のジャム処理方法。
【発明の詳細な説明】
【技術分野】
【０００１】
本発明は、画像形成装置及びジャム処理方法に係り、特に、ロール紙を搬送する搬送装置を備えロール紙にインクジェット記録を行う画像形成装置及びジャム処理方法に関する。
【背景技術】
【０００２】
従来の露光記録及び画像形成は、瞬間的なハロゲンランプ光による爆射、もしくはレーザを光源として利用した主走査／副走査デジタル記録が一般的である。これは１枚の画像記録を略一瞬で終えることができる点から高生産が可能である。
【０００３】
一方、インクジェット記録は、記録媒体の搬送方向と略直交する方向への主走査送りをしながら、記録媒体の搬送方向への副走査送りを実施して、記録媒体上にインクを液滴として吐出し、記録媒体上に高密度にインク滴を着弾させることによって行われる。
【０００４】
このような画像形成装置において、記録媒体が搬送装置や切断装置等に詰まって記録媒体の搬送が適性に行われなくなる、いわゆるジャムが発生すると、特に記録媒体がロール紙の場合にジャム発生した後の処理が大変になる。
【０００５】
すなわち、ロール紙に対して画像記録を行った後の工程である画像記録より下流側のエリアにおいてジャム等が発生した場合には、その記録媒体搬送路のジャムが発生した点よりも下流側が搬送できないため、それよりも上流側の記録媒体は全て搬送を停止させられてしまい、結果的には記録中の画像も画像記録を停止せざるを得ない。
【０００６】
そこで、従来、ロール紙に対して記録を行う記録装置においてジャムが発生した場合に対処する様々な手法が提案されている。
【０００７】
例えば、ロール本体からロールシートを引きだして原稿画像を複写する複写機において、ジャム発生時にユーザのシート除去作業を簡単にするために、ジャムが発生したと検知された場合には無条件にロールシートを切断するようにしたものが知られている(例えば、特許文献１等参照）。
【０００８】
また、記録媒体である連続紙をカットするカッターを備えた画像形成装置において、画像形成装置本体内でジャムが発生した場合にジャム処理を行うとき、カッターにより連続紙をカットするようにしてジャム処理を容易にしたものが知られている（例えば、特許文献２等参照）。
【先行技術文献】
【特許文献】
【０００９】
【特許文献１】特開平９−４３９１８号公報
【特許文献２】特開２００６−３２７１１３号公報
【発明の概要】
【発明が解決しようとする課題】
【００１０】
ここで、上述したような従来の露光記録機の場合には、記録媒体の搬送路においてジャム等が発生して記録中の記録媒体を瞬間停止させることがあっても、記録も一瞬であるので描画途中であるケースが確率的に低く、ロスが少ない。
【００１１】
しかしながら、ロール紙に対してインクジェット記録しているときにジャムが発生した場合、途中で記録を止めた画像は、ジャム紙そのものを除去した後、その停滞していた記録を再開しその記録を止めた記録媒体に対して継続記録しても、インクジェット記録における画像の緻密性から画像欠損となることが想定され結果的にはロスとなってしまうという問題がある。
【００１２】
本発明は、このような事情に鑑みてなされたもので、インクジェット記録装置においてロール紙に記録中、ジャムが発生した場合においても、プリントロスを少なくするとともに生産性との両立を図ることのできる画像形成装置及びジャム処理方法を提供することを目的とする。
【課題を解決するための手段】
【００１３】
前記目的を達成するために、請求項１に記載の発明は、搬送経路を搬送されるロール状の記録媒体に対して画像を記録する画像形成手段と、前記搬送経路におけるジャムの発生を検出するジャム検出手段と、画像が記録された前記ロール状の記録媒体を排出するためにシート状にカットする前記搬送経路の最下流側に配置された第１のカッターと、前記搬送経路の前記画像形成手段の下流直後に配置された第２のカッターと、を備え、前記ジャム検出手段がジャムの発生を検出した場合に、ジャム発生時に記録中の画像については画像記録を続行し、該画像記録が終了したら前記第２のカッターにより該画像の後端をカットすることを特徴とする画像形成装置を提供する。
【００１４】
これにより、ロール紙に記録中、ジャムが発生した場合においても、プリントロスを少なくするとともに生産性との両立を図ることが可能となる。
【００１５】
また、請求項２に示すように、請求項１に記載の画像形成装置であって、さらに、メッセージを表示する表示手段を備え、前記第２のカッターにより前記画像の後端をカットした後、画像記録動作を停止し、ジャムが発生した旨のメッセージを前記表示手段に表示することを特徴とする。
【００１６】
これにより、メッセージを見たユーザが装置のカバーを開けても、すでにロール紙はカットされているので、プリントロスもなくジャム処理が容易となる。
【００１７】
また、請求項３に示すように、請求項１または２に記載の画像形成装置であって、さらに、前記第１のカッターと前記第２のカッターとの間の前記搬送経路上に前記ロール状の記録媒体を保持するバッファを備えたことを特徴とする。
【００１８】
また、請求項４に示すように、前記バッファは、前記ロール状の記録媒体を少なくとも１画像分保持することを特徴とする。
【００１９】
このように、バッファを設けることでジャム発生時においても画像記録の継続が可能となる。
【００２０】
また、請求項５に示すように、請求項１〜４のいずれかに記載の画像形成装置であって、さらに、前記第２のカッターに替えて前記画像形成手段により画像が形成された前記ロール状の記録媒体の該画像の後端をカットしてシート状の記録媒体にする後端カッターを備えると共に、該シート状にされた記録媒体の表裏を反転させて再度前記画像形成手段に送給する反転搬送経路とを備え、ジャムが発生した場合には、前記後端カッターが前記第２のカッターを兼用することを特徴とする。
【００２１】
これにより、両面印刷の場合の後端カッターを利用することでジャム処理が容易となる。
【００２２】
また、請求項６に示すように、前記画像形成手段は、前記ロール状の記録媒体にインク滴を吐出して画像を形成するインクジェット方式であることを特徴とする。
【００２３】
これにより、特にインクジェット記録において画像記録を中断した場合のプリントロスを防ぐことができる。
【００２４】
また、同様に前記目的を達成するために、請求項７に記載の発明は、搬送経路を搬送されるロール状の記録媒体に対して画像を記録する画像形成装置において、ジャムの発生が検出された場合には、ジャム発生時に記録中の画像については、その画像記録を継続するとともに、該画像記録が終了したら、その画像の後端をカットすることを特徴とするジャム処理方法を提供する。
【００２５】
これにより、ロール紙に記録中、ジャムが発生した場合においても、プリントロスを少なくするとともに生産性との両立を図ることが可能となる。
【００２６】
また、請求項８に示すように、前記画像の後端をカットした後で、ジャムが発生した旨のメッセージを表示することを特徴とする。
【００２７】
これにより、メッセージを見たユーザが装置のカバーを開けても、すでにロール紙はカットされているので、プリントロスもなくジャム処理が容易となる。
【００２８】
また、請求項９に示すように、前記搬送経路の前記記録媒体に対する画像記録位置よりも下流側に前記記録媒体を保持するバッファを備えたことを特徴とする。
【００２９】
これにより、バッファを設けることでジャム発生時においても画像記録の継続が可能となる。
【００３０】
また、請求項１０に示すように、前記記録媒体に対する画像記録は、インク滴を吐出して画像を形成するインクジェット方式であることを特徴とする。
【００３１】
これにより、特にインクジェット記録において画像記録を中断した場合のプリントロスを防ぐことができる。
【発明の効果】
【００３２】
以上説明したように、本発明によれば、ロール紙に記録中、ジャムが発生した場合においても、プリントロスを少なくするとともに生産性との両立を図ることが可能となる。
【図面の簡単な説明】
【００３３】
【図１】本発明に係る画像形成装置の第１実施形態の概略を示す全体構成図である。
【図２】本発明に係る画像形成装置の吸着搬送部の概略構成を示す斜視図である。
【図３】吸着搬送部の幅方向の断面図である。
【図４】本実施形態の画像形成装置の電気系の概略を示す要部構成図である。
【図５】本発明に係る画像形成装置の第２実施形態の概略を示す全体構成図である。
【発明を実施するための形態】
【００３４】
以下、添付図面を参照して、本発明に係る画像形成装置及びジャム処理方法について詳細に説明する。
【００３５】
図１は、本発明に係る画像形成装置の第１実施形態の概略を示す全体構成図である。
【００３６】
図１に示すように、本実施形態に係る画像形成装置１０は、記録用紙に画像等を形成する画像形成部１２を備え、該画像形成部１２は、記録用紙に向けてインク滴を吐出するインクジェット記録ヘッド１４及び該インクジェット記録ヘッド１４を保持するキャリッジ１６とを有している。
【００３７】
以下本実施形態においては、画像形成装置１０は、Ｙ（イエロー）、Ｍ（マゼンタ）、Ｃ（シアン）及びＫ（黒）の４色でカラー画像を形成するカラー式の画像形成装置として説明するが、これに限定されるものではなく、モノクロ式の画像形成装置であっても本発明が適用可能であることはいうまでもない。
【００３８】
また、画像形成装置１０は、記録用紙のインクジェット記録ヘッド１４により画像が形成された面側に乾燥風を送給してインク滴を固化させるドライヤー１８、記録用紙を画像毎に切断するカッター（第１のカッター）２０、及びインクジェット記録ヘッド１４からドライヤー１８、カッター２０へと記録用紙を順次搬送するメイン搬送経路２２とを備えている。
【００３９】
なお、図１においては、カッター２０として２枚の刃が描かれているが、刃の枚数は２枚に限定されるものではなく、１枚であってもよい。
【００４０】
メイン搬送経路２２には、記録用紙を水平方向へ搬送する水平部分２２Ａ及び水平方向に搬送される記録用紙の搬送方向を上側に所定の曲率でＵ字状に変更すると共に記録用紙を湾曲させる変更湾曲部２２Ｂが設けられている。
【００４１】
水平部分２２Ａには、インクジェット記録ヘッド１４による画像形成位置、ドライヤー１８による乾燥風の送給位置がこの順に配置されている。また、水平部分２２Ａには、インクジェット記録ヘッド１４による画像形成の処理速度に応じて記録用紙を搬送するための複数のローラ対２３Ａが設置されている。
【００４２】
また、変更湾曲部２２Ｂには、カッター２０による切断の処理速度に応じて記録用紙を搬送するための複数のローラ対２３Ｂが設置されている。この変更湾曲部２２Ｂは、記録用紙の搬送を一時的に滞留させて記録用紙を外側に湾曲させることにより記録用紙を一時的に保持することが可能なバッファを形成する。図１に示すように、本実施形態では変更湾曲部（バッファ）２２Ｂは、記録用紙の搬送方向が最初に変わる部分で記録用紙の搬送を一時的に滞留させることが可能なように構成されている。
【００４３】
変更湾曲部（バッファ）２２Ｂには、形成可能な最大画像で１枚分の記録用紙が保持されて記録用紙が外側に湾曲した位置に記録用紙を検出する用紙センサ８０が設けられている。用紙センサ８０は、例えば、発光素子８０Ａと受光素子８０Ｂが対向されて配置され、受光素子８０Ｂによって受光すべき発光素子８０Ａからの光が記録用紙によって遮断されたことを検知することにより記録用紙を検出するように構成されている。
【００４４】
変更湾曲部２２Ｂを通過した記録用紙はカッター２０に搬送され、カッター２０によって画像毎に切断される。画像毎に切断された記録用紙は、複数のローラ対２３Ｃによって搬送され、スイッチバック収納部７０に一旦収納され、その後搬送方向が反転されて排紙口７２からトレイ７３に排出されるようになっている。
【００４５】
メイン搬送経路２２のローラ対２３Ａはモータ８２Ａから駆動伝達経路８４Ａを介して伝達された駆動力によって回転駆動し、変更湾曲部２２Ｂのローラ対２３Ｂはモータ８２Ｂからの駆動伝達経路８４Ｂを介して伝達された駆動力によって回転駆動するようになっている。
【００４６】
すなわち、本実施形態においては、ローラ対２３Ａを駆動させる駆動源及び駆動伝達経路と、ローラ対２３Ｂを駆動させる駆動源及び駆動伝達経路を別々に備えている。
【００４７】
また、画像形成装置１０は、シート状の記録用紙ＰＳを給紙するシート式給紙部２４と、長尺状の記録用紙を給紙する第１ロール式給紙部２６及び第２ロール式給紙部２８とを備えている。シート式給紙部２４は、記録用紙の上面側が大気開放面側となるように記録紙を収容する給紙カセット２５を備えている。
【００４８】
給紙カセット２５は、例えば、内部の仕切り部材等の位置を調整することによってサイズの異なるシート状の記録用紙ＰＳのサイズを検出するための複数のメカニカルスイッチ（図示省略）が設けられている。複数のメカニカルスイッチは、収納されたシート状の記録用紙ＰＳに当接されることにより、当該シート状の記録用紙ＰＳのサイズに応じてオン、オフ状態の組み合わせに応じて収納されている記録用紙ＰＳのサイズを検出することができるようになっている。
【００４９】
第１ロール式給紙部２６及び第２ロール式給紙部２８は、例えば、１０２ｍｍ〜２５４ｍｍの間で幅の異なる長尺状の記録用紙をロール状に巻回したロール状記録用紙２７が収納可能となっている。第１ロール式給紙部２６及び第２ロール式給紙部２８にも、収納されたロール状記録用紙２７の幅を検出するための複数のメカニカルスイッチ（図示省略）が設けられている。
【００５０】
さらに、第１ロール式給紙部２６及び第２ロール式給紙部２８には、ロール状記録用紙２７の厚さに基づいてロール状記録用紙２７の残量を検出する残量センサ２９がそれぞれ設けられている。なお、残量センサ２９は、ロール状記録用紙２７の厚さではなくその重さに基づいてその残量を検出するものであってもよい。
【００５１】
画像形成装置１０は、シート式給紙部２４から送り出されたシート状の記録用紙ＰＳを搬送するシート搬送部３０と、第１ロール式給紙部２６から巻き出された長尺状の記録用紙ＰＲ１を搬送する第１ロール搬送部３２と、第２ロール式給紙部２８から巻き出された長尺状の記録用紙ＰＲ２を搬送する第２ロール搬送部３４とを備えている（以下、説明の都合上、記録用紙ＰＳ、ＰＲ１、ＰＲ２を総称して単に記録用紙Ｐと呼ぶ場合もある）。
【００５２】
また、画像形成装置１０は、シート式給紙部２４、第１ロール式給紙部２６及び第２ロール式給紙部２８からの記録用紙Ｐをメイン搬送経路２２に送給する副走査ローラ４０を備えている。シート状の記録用紙ＰＳ、長尺状の記録用紙ＰＲ１、ＰＲ２（ロール状記録用紙２７）は選択的に副走査ローラ４０を介してメイン搬送経路２２に搬送される。
【００５３】
なお、記録用紙Ｐは、例えば写真プリントに用いるフォトプリント用の用紙や普通紙である。フォトプリント用の用紙では、吸水性のシリカ粒子を含有するコーティング層が両面に形成されている。従って、記録用紙Ｐの片面で乾燥が進むと、この片面側のコーティング層が収縮し、この片面が凹となるようにカールする。また、普通紙の場合でも、同様に、片面が大気面と接すると、この片面の乾燥が進んで紙繊維の収縮が進み、この片面が凹となるようにカールする。さらに、ロール状記録用紙２７の場合には、ロール状に巻回されているため、巻回された内側が凹となるようにカールする。
【００５４】
そこで、メイン搬送経路２２には、インクジェット記録ヘッド１４による画像形成位置に搬送される記録用紙Ｐの平面性を確保しつつ記録用紙Ｐとインクジェット記録ヘッド１４との距離を一定に保つため、吸着搬送部４２が設けられている。この吸着搬送部４２は、副走査ローラ４０から搬出された記録用紙Ｐを、吸着しつつ画像形成部１２で画像が形成される領域（すなわちインクジェット記録ヘッド１４の直下）に吸着搬送するようになっている。
【００５５】
また、本実施形態の画像形成装置１０は、記録用紙の搬送路上でジャムの発生を検知するジャム検出手段を備えている。ジャム検出手段としては、特に限定されるものではなく、公知の様々なジャム検出手段が適用可能である。
【００５６】
例えば、図１に示すように、搬送路を搬送される記録用紙Ｐを検出する投受光センサ９０を搬送路中の様々な場所に設け、この投受光センサ９０によって搬送路を搬送される記録用紙Ｐが検出されなかった場合には、それよりも上流側でジャムが発生したと判断するようにしてもよい。なお、投受光センサ９０を設置する位置については、図１に示す位置はただの例示であって、実際の設置位置がこれに限定されるものではない。
【００５７】
またあるいは、カッター２０に記録用紙Ｐが挟まってジャムが発生した場合には、カッター２０を駆動してから初期位置に復帰するまでに時間がかかるので、カッター２０の位置を検出する位置検出センサを設け、カッター２０を駆動してから初期位置にもどるまでの時間に基づいてジャムを検出するようにしてもよい。なお、いずれの場合においても、ジャム検出の判断は、後述するＣＰＵ（中央処理装置）がセンサからの検出信号を受けて判断する。
【００５８】
また、本実施形態の画像形成装置１０は、画像形成部１２とドライヤー１８との間に、ジャムが発生した場合に記録用紙Ｐを切断するジャム処理用カッター（第２のカッター）９２を備えている。
【００５９】
詳しくは後述するが、本実施形態においてはジャムが発生した場合でも記録中の画像は中止せずに画像記録を続けるのであるが、このジャム処理用カッター９２は、その画像の記録が終了した後その画像の後端を切断するためのものである。
【００６０】
図２は、吸着搬送部４２の概略構成を示す斜視図である。
【００６１】
図２に示すように、吸着搬送部４２は、記録用紙Ｐの幅方向（記録用紙Ｐの搬送方向（図の左右方向）に略直交する方向）に対して２つの空気室（チャンバー）４８Ａ、４８Ｂを形成する空気室形成部材５０で構成され、その上面がメイン搬送経路２２を形成するようになっている。空気室形成部材５０は、記録用紙Ｐの幅方向に対する幅が、本実施形態の画像形成装置１０で使用可能な記録用紙Ｐの最大幅よりも大きく形成されている。また、メイン搬送経路２２を形成する空気室形成部材５０の上面には、空気室４８Ａ、４８Ｂとメイン搬送経路２２側とを連通させるための多数の吸引孔４９が形成されている。
【００６２】
図３は、吸着搬送部４２の幅方向の断面図である。
【００６３】
図３に示すように、空気室形成部材５０に形成された各空気室４８Ａ、４８Ｂの下側に、負圧吸引を行う吸引ファン５２Ａ、５２Ｂがそれぞれに対応して設けられている。また、空気室形成部材５０の底面側には、各吸引ファン５２Ａ、５２Ｂがそれぞれ各空気室４８Ａ、４８Ｂと連通するように、開口６２Ａ、６２Ｂが形成されている。
【００６４】
また、図３に示したように、記録用紙Ｐは、幅方向の一端が空気室形成部材５０の幅方向一端と略一致するように吸着搬送部４２に搬送される。
【００６５】
図４は、本実施形態の画像形成装置１０の電気系の概略を示す要部構成図である。
【００６６】
図４に示すように、画像形成装置１０は、装置全体の動作を司るＣＰＵ（中央処理装置）１００と、各種データを一時的に記憶するＲＡＭ１０２と、装置全体を制御する制御プログラムを含む各種プログラムや後述する吸引制御処理プログラム等が予め記憶されたＲＯＭ１０４と、各種情報を記憶する不揮発性メモリ１０５と、各種の操作画面を表示する液晶表示パネル等の表示装置１０６に接続されて当該表示装置１０６を制御する表示制御部１０８と、ユーザからの各種の操作指示が入力される操作パネル１１０に接続されて当該操作パネル１１０に対する操作を検出する操作入力検出部１１２とを備えている。
【００６７】
また、画像形成装置１０は、上述した画像形成部１２による画像形成処理を制御する画像形成制御部１１６と、吸着搬送部４２の吸引ファン５２Ａ、５２Ｂを制御する吸引制御部１１８と、記録用紙Ｐの搬送を制御する搬送制御部１２０と、ジャム処理用カッター９２及びカッター２０による切断動作を制御するカッター制御部１２１とを備えている。
【００６８】
搬送制御部１２０は、シート搬送部３０、第１ロール搬送部３２、第２ロール搬送部３４を制御して、記録用紙Ｐを選択的にメイン搬送経路２２に搬送させる。また、搬送制御部１２０は、モータ８２Ａ及び８２Ｂを制御して、記録用紙Ｐのメイン搬送経路２２の搬送を制御する。
【００６９】
ＣＰＵ１００、ＲＡＭ１０２、ＲＯＭ１０４、不揮発性メモリ１０５、表示制御部１０８、操作入力検出部１１２、画像形成制御部１１６、吸引制御部１１８、搬送制御部１２０及びカッター制御部１２１は、システムバスＢＵＳを介して相互に接続されている。従って、ＣＰＵ１００は、ＲＡＭ１０２、ＲＯＭ１０４及び不揮発性メモリ１０５へのアクセスと、表示制御部１０８を介して表示装置１０６への操作画面、各種メッセージ等の各種情報の表示の制御と、画像形成制御部１１６を介した画像形成部１２の作動の制御と、吸引制御部１１８を介した記録用紙Ｐの吸着の制御と、搬送制御部１２０を介した記録用紙Ｐの搬送の制御とを各々行うことができる。また、ＣＰＵ１００は、操作入力検出部１１２により検出された操作情報に基づく操作パネル１１０に対する操作内容を把握することができる。
【００７０】
また、システムバスＢＵＳには、用紙センサ８０、用紙サイズ検出部１２２及び残量センサ２９が接続されている。ＣＰＵ１００は、用紙センサ８０からの信号により、変更湾曲部２２Ｂに最大画像で１枚分の記録用紙Ｐが保持されたか否かの把握を行うことができる。また、用紙サイズ検出部１２２は、シート状の記録用紙ＰＳのサイズ毎に記録用紙ＰＳの幅を示した用紙幅情報が記憶されている。用紙サイズ検出部１２２は、給紙カセット２５に設けられた複数のメカニカルスイッチのオン、オフ状態の組み合わせに応じて給紙カセット２５に収納された記録用紙ＰＳのサイズを検出し、用紙幅情報に基づいて検出された記録用紙ＰＳの幅を導出する。また、用紙サイズ検出部１２２は、第１ロール式給紙部２６及び第２ロール式給紙部２８にそれぞれ設けられた複数のメカニカルスイッチのオン、オフ状態の組み合わせに応じて第１ロール式給紙部２６及び第２ロール式給紙部２８に収納されたロール状記録用紙２７の幅を検出する。従って、ＣＰＵ１００は、給紙カセット２５に収納された記録用紙ＰＳの幅や第１ロール式給紙部２６、第２ロール式給紙部２８に収納されたロール状記録用紙２７の幅の把握と、第１ロール式給紙部２６、第２ロール式給紙部２８に収納されたロール状記録用紙２７の残量の把握とをそれぞれ行うことができる。
【００７１】
また、システムバスＢＵＳには、さらに、投受光センサ９０が接続されている。投受光センサ９０からの検出信号に基づいてＣＰＵ１００はジャムの発生を検出する。またＣＰＵ１００は、ジャムが発生したと判断した場合には、画像形成制御部１１６及び搬送制御部１２０を制御して、ジャム発生時に記録中であった画像の記録を続行する。そしてジャム発生時に記録中であった画像の記録が終了したら、ＣＰＵ１００は、カッター制御部１２１を制御してジャム処理用カッター９２により、その画像の後端を切断し、その後の記録動作を中止する。そしてＣＰＵ１００は、表示制御部１０８を制御してジャムが発生した旨のメッセージを表示装置１０６に表示させるようになっている。
【００７２】
なお、ここではジャム検出手段として投受光センサ９０を例示したが、投受光センサ９０に限定されるものではなく、他のジャム検出手段を用いる場合には、それがシステムバスＢＵＳに接続されており、その検出信号に基づいてＣＰＵ１００がジャムの発生を判断するようになっているものとする。
【００７３】
以下、本実施形態の作用について説明する。
【００７４】
画像を形成する場合、メイン搬送経路２２には、シート状の記録用紙ＰＳ、長尺状の記録用紙ＰＲ１、またはＰＲ２から選択的に画像形成対象とする記録用紙Ｐが搬送されるが、ここでは、長尺状の記録用紙ＰＲ１またはＰＲ２（ロール状記録用紙２７）を用いて画像記録を行う場合について説明することとする。
【００７５】
記録用紙Ｐを搬送する際、図２に示すように、記録用紙Ｐの幅方向の一端が略空気室形成部材５０の幅方向の一端となるように搬送される。記録用紙Ｐは、吸着搬送部４２からの吸着力が作用していない場合、メイン搬送経路２２に対して若干凸となる向きにカールしている。
【００７６】
ＣＰＵ１００は、記録用紙Ｐに対して画像形成を行う場合、吸引制御処理プログラムを実行し、吸着搬送部４２を制御して記録用紙Ｐを吸着させる。また、ＣＰＵ１００は、画像形成部１２を制御してキャリッジ１６を走査させるとともにインクジェット記録ヘッド１４からインク滴を吐出させて記録用紙Ｐに画像を一定幅ずつ形成させ、画像が一定幅形成される毎に搬送制御部１２０を介してモータ８２Ａを制御してローラ対２３Ａを回転駆動させ、記録用紙Ｐを搬送方向に間欠搬送させる。
【００７７】
以下、ロール状記録用紙２７（長尺状の記録用紙ＰＲ１、又はＰＲ２）を用いて画像記録を行う場合について説明する。
【００７８】
第１ロール式給紙部２６または第２ロール式給紙部２８から引き出されたロール状記録用紙２７は、副走査ローラ４０によってメイン搬送経路２２に搬送される。メイン搬送経路２２に搬送されたロール状記録用紙２７は、吸着搬送部４２によって、用紙の平面性を確保されつつ用紙とインクジェット記録ヘッド１４との距離を一定に保ちながら、インクジェット記録ヘッド１４の直下である画像形成領域に吸着搬送される。
【００７９】
インクジェット記録ヘッド１４によって画像が形成されたロール状記録用紙２７はメイン搬送経路２２上を画像形成部１２の下流のドライヤー１８の位置へ搬送され、ドライヤー１８により送給される乾燥風によって記録面のインク滴が固化される。
【００８０】
その後ロール状記録用紙２７は変更湾曲部２２Ｂを介してカッター２０へ搬送され、画像毎に切断される。ロール状記録用紙２７は、カッター２０で画像毎に切断されると一旦スイッチバック収納部７０に収納された後、搬送方向が反転されて排紙口７２からトレイ７３へ排出される。
【００８１】
次に、ジャムが検出された場合の処理について説明する。
【００８２】
ジャム検出手段、例えば、搬送路に複数配置された投受光センサ９０からの信号によりＣＰＵ１００がジャム発生を検出した場合には、その時画像形成部１２において画像記録中の画像についてだけは画像記録を中断することなくそのまま画像記録を続行する。画像記録を続行するとロール状記録用紙２７の副走査（搬送）も行われるが、本実施形態の画像形成装置１０は変更湾曲部（バッファ）２２Ｂを備えているため、より下流側でジャムが発生してロール状記録用紙２７が詰まっていても、ロール状記録用紙２７の余分な部分をこの変更湾曲部（バッファ）２２Ｂが吸収するので、画像記録の続行が可能である。
【００８３】
そして、ジャム検出時に記録中であった画像の画像記録が終了したら、その画像の後端をジャム処理用カッター９２で切断する。切断された画像については、ドライヤー１８で乾燥・定着が行われる。
【００８４】
このように、ジャム処理用カッター９２は、通常の画像記録時においては用いられず、ジャム検出時においてのみ用いられ、ジャム検出時に記録中であった画像の記録が終わったらその画像の後端を切断するようになっている。ロール状記録用紙２７を用いてインクジェット画像記録を行う際、ロール状のままメイン搬送経路２２を搬送して画像記録を行い、最後にカッター２０でシート状に切断して排出するようにし、通常の画像記録時においてはジャム処理用カッター９２では切断しないようにしているため、ロール状記録用紙２７を用いる利点を活かし充分な生産性を確保することができる。
【００８５】
その後、ＣＰＵ１００は、画像記録を停止し、表示制御部１０８を介して表示装置１０６にジャムが発生した旨のメッセージを表示する。
【００８６】
ユーザはこのエラーメッセージを確認したら、画像形成装置１０のカバーを開けてジャム紙を取り除く。このとき、本実施形態においては、ジャム発生時に記録中の画像も記録を中断することなく最後まで記録し、画像後端をカットしたので、取り除いたジャム紙全体をロスとすることなく、少なくともジャム発生時に記録中のエリアの画像は商品として提供することが可能である。
【００８７】
なお、ジャム発生時に直ちにエラーメッセージを表示するとユーザが画像形成装置１０のカバーをすぐに開けてしまう虞れがあり、その場合にはインターロックが作動し電源が切れ記録中の画像記録が停止されてしまう。また、従来はジャムが発生すると、ジャム紙を取り出すことに主眼をおいて、直ちに画像記録を停止してロール状記録用紙をカットしていた。
【００８８】
しかし、ジャム等で画像記録を途中停止した場合には、インクジェット記録における記録方式及び画像の緻密性から、ジャム発生時に画像記録を途中停止した画像について、ジャム紙除去後にその画像記録を継続して行うようにしても画像欠損となることが想定されて記録媒体のロスとなってしまう。
【００８９】
これに対して、本実施形態においては、エラーメッセージを表示する前にジャム検出時に記録中の画像については画像記録を続行し、その画像記録が終了したらその画像の後端を装置で自動的にカットするようにしているため、ジャム発生時に記録中であったエリアの記録画像は商品として扱うことができ、ジャムが発生した場合の記録媒体のロスを少なくすることができる。
【００９０】
次に、本発明の第２実施形態について説明する。以上説明した第１実施形態は、ロール状記録用紙の片面にインクジェット記録ヘッドで画像記録を行う場合に、画像記録の生産性の確保を図ると共に、ジャム発生時に記録用紙のロスを少なくするようにしたものであったが、以下説明する第２実施形態は、特に、ロール状記録用紙の両面にインクジェット記録ヘッドで画像記録を行う場合に、ジャム発生時に記録用紙のロスを少なくするようにするものである。
【００９１】
図５に、本発明の第２実施形態に係る画像形成装置の概略構成を示す。
【００９２】
図５に示すように、本実施形態に係る画像形成装置２１０は、前述した図１に示す第１実施形態の画像形成装置１０と略同様の構成を有している。本実施形態の画像形成装置２１０が第１実施形態の画像形成装置１０と異なる点は、ロール状記録用紙の両面に対して画像記録を可能とするために、メイン搬送経路に復路（スイッチバック）を設けたことである。
【００９３】
すなわち、図５に示すように、画像形成装置２１０は、両面印刷用の反転搬送経路（スイッチバック）７４を備えている。反転搬送経路７４は、ローラ対７４Ａを含んで構成されている。両面記録は、ロール状記録用紙の片面に画像記録を行った後、ロール状記録用紙をシート状に切断して、このシート状にした記録用紙を反転搬送経路７４により再び画像記録位置に搬送することによって行われる。
【００９４】
そのため、画像記録位置の直後にロール状記録用紙をシート状に切断するためのカッター（後端カッター）１７が配置されている。
【００９５】
なお、画像形成装置２１０のその他の構成要素は、前述した図１に示す第１実施形態の画像形成装置１０と同様であるので、同じ構成要素には同じ符号を付して詳しい説明は省略することとする。
【００９６】
インクジェット記録ヘッド１４により片面に画像が形成されたロール状記録用紙２７は、後端カッター１７によってその画像の後端でカットされシート状にされた後、反転搬送経路７４で表裏が反転されて再びメイン搬送経路２２に送給される。これにより、記録用紙の両面に画像を形成することが可能となる。
【００９７】
図５に示すように、後端カッター１７は、画像形成部１２とドライヤー１８の間に配置されている。このように、後端カッター１７は、第１実施形態の画像形成装置１０におけるジャム処理用カッター９２と同様の位置に配置されているが、後端カッター１７は、ジャム処理用カッター９２とは異なり、両面印刷を行うために、ロール状記録用紙２７の片面に画像が形成される毎にその画像後端を毎回切断するものである。
【００９８】
反転搬送経路７４のローラ対７４Ａは、モータ８２Ａから駆動伝達経路８４Ａを介して伝達された駆動力によって回転駆動するようになっている。
【００９９】
また、反転搬送経路７４は、記録用紙をデカール処理するデカール搬送部３８を備えている。デカール搬送部３８は、画像が形成されて上面が凹にカールした記録用紙のデカールを行って、メイン搬送経路２２上でその表面が凸となるようにカールさせるようにするものである。反転搬送経路７４で反転された記録用紙は、副走査ローラ４０を介してメイン搬送経路２２に送給される。
【０１００】
以下、本実施形態の作用について、ロール状記録用紙の両面に画像を記録する場合について説明する。
【０１０１】
ロール状記録用紙２７の両面に画像を記録する場合には、まず、ロール状記録用紙２７の片面に画像を記録する。片面に画像を記録するまでは前述した第１実施形態と同様である。
【０１０２】
ロール状記録用紙２７は、その片面に画像が記録された後、後端カッター１７でその画像の後端が切断されシート状にされ、ドライヤー１８によりその記録画像が固化されて、反転搬送経路７４によって搬送方向が逆方向に切り換えられて搬送される。
【０１０３】
インク吐出滴に含まれている溶媒は、このシート状とされた記録用紙のコーティング層もしくは紙の繊維に吸収され、記録用紙の上面側が下面側よりも吸湿して伸長する。このため、このシート状記録用紙には、上面側にさらに凸となるようにカールする力が作用する。
【０１０４】
そこで、反転搬送経路７４では、このシート状記録用紙をデカール搬送部３８でデカール処理する。このようにデカール搬送部３８でデカール処理されたシート状記録用紙は、カール方向が反転する。すなわち、デカール搬送部３８から搬出された状態では記録用紙は上に凸、すなわちメイン搬送経路２２上で凸にカールしている。従って、２回目の画像形成（反対面側への画像形成）でメイン搬送経路２２をシート状となった記録用紙が搬送される際、１回目の画像形成のときと同様、記録用紙は搬送経路形状に沿った形状にされて搬送され、先端がメイン搬送経路２２から浮き上がることがない。
【０１０５】
なお、後端カッター１７によって切断され画像形成部１２より上流側に残ったロール状記録用紙２７は、片面に画像記録がなされたシート状記録用紙を再びメイン搬送経路２２に搬送するのに先立って、その搬送を阻害しないようにある程度の位置まで巻き戻しておくものとする。
【０１０６】
このようにして両面に対して画像形成が行われたシート状記録用紙は、変更湾曲部２２Ｂを介してスイッチバック収納部７０に送られ、排紙口７２からトレイ７３へ排出される。なお、カッター２０においては、必要に応じてプリント仕上げのためのカットが行われる。
【０１０７】
次に、ジャムが検出された場合の処理について説明する。
【０１０８】
ジャム検出手段からの信号によりＣＰＵ１００がジャム発生を検出した場合には、その時画像形成部１２において画像記録中の画像についてだけは画像記録を中断することなくそのまま画像記録を続行する。
【０１０９】
このとき、画像記録中の画像がまだロール状記録用紙２７の片面側への記録画像であった場合には、その片面の画像記録を継続し、画像記録後に後端カッター１７でその画像の後端を切断しシート状にして、反転搬送経路７４で反転搬送し、再びメイン搬送経路２２に搬送して裏面側の画像記録を行いドライヤー１８側へ搬送する。その後、画像記録を停止して、ジャムが発生した旨のメッセージを表示する。
【０１１０】
また、ジャム発生時、すでにシート状となった記録用紙の裏面側への画像記録中であった場合には、そのまま画像記録を続行して、画像記録が終了したらそのままドライヤー１８側へ搬送し、その後画像記録を停止して、ジャムが発生した旨のメッセージを表示する。
【０１１１】
このようにジャム発生時に記録中であった画像記録を中断することなく、画像記録を続行することで、ジャム発生時に記録中であったエリアの記録画像を商品として扱うことができ、ジャムが発生した場合の記録媒体のロスを少なくすることが可能となる。
【０１１２】
また、第２実施形態の画像形成装置２１０により、ロール状記録用紙２７に片面印刷を行う場合、通常の画像記録が行われる場合には、反転搬送経路７４及び後端カッター１７は用いられず、前述した第１実施形態の画像形成装置１０の作用と同様にして片面印刷が行われる。
【０１１３】
このとき、ジャムが発生した場合には、両面印刷のために備えられていた後端カッター１７を第１実施形態におけるジャム処理用カッター９２として用いることで前述した第１実施形態と同様のジャム処理を実行することができる。
【０１１４】
従って、この場合には、もともと画像形成装置２１０に備えられていた後端カッター１７をジャム処理用カッター９２として兼用することにより、特に余分な設備を備えることなく、ジャム発生時における記録用紙のロスを少なくすることができるとともに、ロール状記録用紙を用いた生産性の確保をも図ることが可能となる。
【０１１５】
以上、本発明の画像形成装置及びジャム処理方法について詳細に説明したが、本発明は、以上の例には限定されず、本発明の要旨を逸脱しない範囲において、各種の改良や変形を行ってもよいのはもちろんである。
【符号の説明】
【０１１６】
１０、２１０…画像形成装置、１２…画像形成部、１４…インクジェット記録ヘッド、１６…キャリッジ、１７…後端カッター、１８…ドライヤー、２０…カッター、２２…メイン搬送経路、２２Ａ…水平部分、２２Ｂ…変更湾曲部（バッファ）、２７…ロール状記録用紙、７０…スイッチバック収納部、７２…排紙口、７３…トレイ、７４…反転搬送経路、８０…用紙センサ、９０…投受光センサ、９２…ジャム処理用カッター、１００…ＣＰＵ、１０６…表示装置、１０８…表示制御部、１１６…画像形成制御部、１２０…搬送制御部、１２１…カッター制御部
【図１】
2011005831.tif 000003
【図２】
2011005831.tif 000004
【図３】
2011005831.tif 000005
【図４】
2011005831.tif 000006
【図５】
2011005831.tif 000007